(57)【要約】【課題】非接触ＩＣチップ内の情報を表示する場合に、アクセスに時間をかけないで使用者を待たせることなく、また余分な電力を消費することのない携帯端末を提供する。【解決手段】非接触ＩＣチップ５内の電子マネー等の価値情報は、主制御部８が関与せずに、リーダ／ライタ２００との非接触データ通信５ａにより更新される。非接触ＩＣチップ５は、外部のリーダ／ライタ２００から通信可能なレベルの搬送波を受けたとき搬送波検出信号５ｃを出力する。主制御部８は、価値情報を表示部１２に表示するとき、前回表示以降に搬送波検出信号５ｃを検知した場合には、非接触ＩＣチップ５内の価値情報を有線通信ＵＡＲＴ５ｅで読み出して価値情報記憶部１１ｂに記憶して当該価値情報を表示部１２に表示させ、前回表示以降に搬送波検出信号５ｃを検知しなかった場合には、前回表示時に価値情報記憶部１１ｂに記憶した価値情報を表示させる。【選択図】  図１
2009087077.tif 000002
【特許請求の範囲】
【請求項１】
リーダ／ライタ装置との間の非接触データ通信インターフェースおよび携帯端末内部の制御手段との間の有線通信インターフェースを有し、リーダ／ライタ装置および制御手段から指示されて価値情報を制御し、当該価値情報の現在内容を記憶し、当該非接触データ通信の搬送波を検出して搬送波検出信号を出力する非接触ＩＣチップと、
前記制御手段のメモリアドレス空間に配置され、前記非接触ＩＣチップ内の価値情報の現在内容がコピーされて記憶する価値情報記憶手段とを具備し、
前記制御手段は、
前記価値情報の現在内容を表示するとき、前回表示以降に前記搬送波検出信号が出力されていれば、前記非接触ＩＣチップ内の価値情報の現在内容を前記有線通信インターフェースで読み出して前記価値情報記憶手段に記憶して当該価値情報の現在内容を表示手段に表示させ、前回表示以降に前記搬送波検出信号が出力されていなければ、前回表示時に前記価値情報記憶手段に記憶した価値情報の現在内容を表示手段に表示させること
を特徴とする携帯端末。
【請求項２】
リーダ／ライタ装置との間の非接触データ通信インターフェースおよび携帯端末内部の制御手段との間の有線通信インターフェースを有し、リーダ／ライタ装置および制御手段から指示されて価値情報を制御し、当該価値情報の現在内容を記憶し、当該非接触データ通信の搬送波を検出して搬送波検出信号を出力する非接触ＩＣチップと、
前記制御手段のメモリアドレス空間に配置され、前記非接触ＩＣチップ内の価値情報の現在内容がコピーされて記憶する価値情報記憶手段とを具備し、
前記制御手段は、
前記価値情報の現在内容を表示するとき、前回表示以降に当該制御手段により前記有線通信インターフェースで前記非接触ＩＣチップをアクセスしていれば、前記非接触ＩＣチップ内の価値情報の現在内容を前記有線通信インターフェースで読み出して前記価値情報記憶手段に記憶して当該価値情報の現在内容を表示手段に表示させ、前回表示以降に当該制御手段により前記有線通信インターフェースで前記非接触ＩＣチップをアクセスしていなければ、前回表示時に前記価値情報記憶手段に記憶した価値情報の現在内容を表示手段に表示させること
を特徴とする携帯端末。
【請求項３】
前記制御手段は、
前記価値情報の現在内容を表示するとき、前回表示以降に当該制御手段により前記有線通信インターフェースで前記非接触ＩＣチップの価値情報の現在内容を更新していれば、前記非接触ＩＣチップ内の価値情報の現在内容を前記有線通信インターフェースで読み出して前記価値情報記憶手段に記憶して当該価値情報の現在内容を表示手段に表示させ、前回表示以降に当該制御手段により前記有線通信インターフェースで前記非接触ＩＣチップの価値情報の現在内容を更新していなければ、前回表示時に前記価値情報記憶手段に記憶した価値情報の現在内容を表示手段に表示させること
を特徴とする請求項２に記載の携帯端末。
【請求項４】
前記制御手段は、
前記価値情報の現在内容を表示するとき、前回表示以降に当該制御手段により前記有線通信インターフェースで前記非接触ＩＣチップの複数の価値情報の現在内容のいずれかを更新していれば、前記非接触ＩＣチップ内の当該更新した価値情報の現在内容を前記有線通信インターフェースで読み出して前記価値情報記憶手段に記憶して当該価値情報の現在内容を表示手段に表示させ、前回表示以降に当該制御手段により前記有線通信インターフェースで前記非接触ＩＣチップの複数の価値情報の現在内容の内、更新しなかった価値情報があれば、前回表示時に前記価値情報記憶手段に記憶した当該価値情報の現在内容を表示手段に表示させること
を特徴とする請求項２に記載の携帯端末。
【発明の詳細な説明】
【技術分野】
【０００１】
本発明は、電子マネー等の価値情報を記憶できる非接触ＩＣチップが搭載された携帯端末において、非接触ＩＣチップ内の価値情報の残高情報などを表示するための制御に関する。
【背景技術】
【０００２】
ＦｅｌｉＣａ（Ｒ）などの非接触ＩＣチップが搭載され、電子マネーを扱う機能を持つおサイフケータイ（Ｒ）と呼ばれる携帯端末があり、このような携帯端末においては、非接触ＩＣチップ内の電子マネーの残高情報などを表示することが必要とされる。
【０００３】
携帯端末の中の非接触ＩＣチップは、携帯端末の外部のリーダ／ライタ装置との間の無線通信インターフェースと、携帯端末の中のホストＣＰＵとの間の有線通信インターフェースの２種類の通信手段を備えており、どちらの通信手段を用いても非接触ＩＣチップの電子マネーの残高情報を更新することが可能である。
【０００４】
したがって、ホストＣＰＵが関わることなく無線通信インターフェースにより非接触ＩＣチップの電子マネーの残高情報が更新されるため、ホストＣＰＵは、非接触ＩＣチップ内の電子マネーの残高情報などを表示する場合、その都度、有線通信インターフェースで非接触ＩＣチップにアクセスして電子マネーの残高情報を参照する必要がある。
【０００５】
例えば、このような技術として、非接触ＩＣカード（チップ）を組み込んだ情報処理端末において、この情報処理端末内のプログラム制御部１１１は、表示部１１２に残高情報等を表示する際に、その都度、非接触ＩＣチップ１００にアクセスして非接触ＩＣチップ１００内のメモリ１０４を参照する技術を開示するものがある（例えば、特許文献１）。
【０００６】
ところが、ホストＣＰＵによる非接触ＩＣチップへのアクセスには時間がかかるため、使用者を待たせることになり、また、非接触ＩＣチップにアクセスするための電力も消費することになるという問題がある。
【特許文献１】特開２００３−１４１４３４号公報（頁４〜７、図１〜図６）
【発明の開示】
【発明が解決しようとする課題】
【０００７】
上述のように、非接触ＩＣチップ内の電子マネー等の価値情報の残高情報などを表示する際には、必ず接触ＩＣチップにアクセスして非接触ＩＣチップ内の電子マネー等の価値情報を参照する必要があり、そのために、使用者を待たせたり、電力も余分に消費するという問題があった。
【０００８】
本発明は、このような問題を解決し、非接触ＩＣチップを搭載した携帯端末において、非接触ＩＣチップ内の価値情報の残高情報などを表示する場合に、アクセスに時間をかけないで使用者を待たせることなく、また余分な電力を消費することのない携帯端末を提供することを目的とする。
【課題を解決するための手段】
【０００９】
上記目的を達成するために、本発明の携帯端末は、リーダ／ライタ装置との間の非接触データ通信インターフェースおよび携帯端末内部の制御手段との間の有線通信インターフェースを有し、リーダ／ライタ装置および制御手段から指示されて価値情報を制御し、当該価値情報の現在内容を記憶し、当該非接触データ通信の搬送波を検出して搬送波検出信号を出力する非接触ＩＣチップと、前記制御手段のメモリアドレス空間に配置され、前記非接触ＩＣチップ内の価値情報の現在内容がコピーされて記憶する価値情報記憶手段とを具備し、前記制御手段は、前記価値情報の現在内容を表示するとき、前回表示以降に前記搬送波検出信号が出力されていれば、前記非接触ＩＣチップ内の価値情報の現在内容を前記有線通信インターフェースで読み出して前記価値情報記憶手段に記憶して当該価値情報の現在内容を表示手段に表示させ、前回表示以降に前記搬送波検出信号が出力されていなければ、前回表示時に前記価値情報記憶手段に記憶した価値情報の現在内容を表示手段に表示させることを特徴とする。
【発明の効果】
【００１０】
本発明によれば、非接触ＩＣチップを搭載した携帯端末において、非接触ＩＣチップ内の電子マネー等の価値情報の残高情報などを表示する場合に、アクセスに時間をかけないで使用者を待たせることなく、また余分な電力を消費することがなくなる。
【発明を実施するための最良の形態】
【００１１】
図１は、本発明の実施例に係る携帯端末のブロック図である。携帯端末１００は、外部のリーダ／ライタ２００との間で誘導起電力を利用した非接触データ通信を行う機能、および、移動通信網の基地局（図示せず）との間で無線通信を行うことで電話やメール等を行う機能を有している。
【００１２】
携帯端末１００は、上記非接触データ通信を行う機能を実現するためにその内部にＦｅｌｉＣａ（Ｒ）などの非接触ＩＣチップ５を搭載しており、この非接触ＩＣチップ５は内部に電子マネーや電子チケットなどの価値情報、およびそれらの現在内容が記憶されている。また、非接触ＩＣチップ５の通信インターフェースは２つあり、非接触データ通信と有線通信を行うためのインターフェースである。
【００１３】
有線通信は、、ＵＡＲＴ（Universal Asynchronous Receiver Transmitter）５ｅである。ＵＡＲＴは、シリアルポートなどの標準的な有線通信インターフェースとしてプロトコルが定義されており、その詳細説明は省略する。  非接触ＩＣチップ５内の電子マネーや電子チケットなどの価値情報などの書き換えの１つのルートは、非接触データ通信によるものである。これは、携帯端末１００の主要機能を制御する主制御部８が関与せずに行われる。もう１つのルートは、主制御部８が上記有線通信を行うためのインターフェースを用いて行うものである。
【００１４】
次に、携帯端末１００の構成について説明する。携帯端末１００は、電池１、セット電源スイッチ２、セット電源部３、常時電源部４、非接触ＩＣチップ５、アンテナ６、ラッチ７、主制御部８、通信部９、アンテナ１０、情報記憶部１１、表示部１２、キー入力部１３などにより構成される。そして非接触ＩＣチップ５は、さらに、アナログ部５１、チップ制御部５２、メモリ５３を有する。
【００１５】
電池１は、携帯端末１００全体への電源供給源となる二次電池である。セット電源スイッチ２は、ユーザ操作用のスイッチであり、セット電源部３をオンオフする。セット電源部３は、安定化電源であり、携帯端末１００の主要部分である主制御部８、通信部９、アンテナ１０、情報記憶部１１、表示部１２、キー入力部１３などに電源を供給する。したがって、主制御部８等は、セット電源スイッチ２がオン操作されたときに能動状態になる。
【００１６】
常時電源部４は、常時オン状態の安定化電源であり、非接触ＩＣチップ５、ラッチ７へ常時、電源を供給する。非接触ＩＣチップ５、ラッチ７は、常時能動状態にある。
【００１７】
非接触ＩＣチップ５は、アンテナ６を経由して、非接触データ通信により外部のリーダ／ライタ２００との間で、数ｃｍ以下のごく近距離の非接触によるデータの送受信を行う。また、チップ制御部５２と携帯端末１００内部の主制御部８との間で、有線通信によるデータの送受信を行う。
【００１８】
また、非接触ＩＣチップ５は、電子マネー、電子チケット、ポイントサービス等の価値情報を制御するアプリケーションを保持する。そして、前記非接触データ通信や有線通信からの要求に応じて、非接触ＩＣチップ５は、指示されたアプリケーションを実行し、非接触ＩＣチップ５内の各価値情報の更新や参照のための送信を行う。
【００１９】
アナログ部５１は、検波、変復調、クロック抽出など、アンテナ６から送受信されるアナログ信号の処理を行う。チップ制御部５２は、送受信データの処理やメモリ５３の制御、有線通信を行うための各インターフェースなどの制御を行う。メモリ５３は、前記アプリケーションプログラムを保持する。また、価値情報の現在内容として、電子マネーでは残高、電子チケットでは契約チケット情報、ポイントサービスではポイント数などの現在内容を記憶する。
【００２０】
非接触ＩＣチップ５の出力信号である搬送波検出信号５ｃは、外部のリーダ／ライタ２００から通信可能なレベルの搬送波を受けたとき非接触ＩＣチップ５が出力する信号である。
【００２１】
非接触ＩＣチップ５の入力信号であるアクセス制御信号５ｄは、当該信号がアクティブ状態において非接触ＩＣチップ５全体がウェイクアップ状態になり、ＵＡＲＴ５ｅによるデータ送受信の準備が整う。この状態では、非接触ＩＣチップ５自体の消費電力が増える。
【００２２】
双方向通信を行うＵＡＲＴ５ｅは、シリアルポートなどの標準的な有線通信を行うためのインターフェースであるＵＡＲＴであり、スタートビットやストップビット等のプロトコルが定義されている。
【００２３】
ラッチ７は、チップ制御部５２の搬送波検出信号５ｃが瞬時的な信号であるため、これを記憶するためのフリップフロップである。これは、セット電源３がオフ状態において瞬時的な搬送波検出信号５ｃが出力された場合に、セット電源３が後でオンになった時点以降で、主制御部８が電源オン以前の動作状態になかったとき、及び電源オン後の動作中に搬送波検出信号５ｃが出力されたかどうかを検出するためのものである。
【００２４】
主制御部８は、図示しないＣＰＵ、ＲＯＭ、ＲＡＭなどを有して、携帯端末１００の主要な機能を実行する。主制御部８は、特に本発明に関して、非接触ＩＣチップ５との間の有線通信の制御や、非接触ＩＣチップ５内の電子マネーや電子チケットなどの価値情報の現在内容の表示制御を行う。
【００２５】
通信部９は、アンテナ１０の電波の送受信処理、変調復調処理などを行う。アンテナ１０は、移動通信網の基地局（図示せず）との間で電波の送受信を行う。
【００２６】
情報記憶部１１は、主制御部アクセス履歴１１ａと、価値情報記憶部１１ｂを有し、主制御部８により制御される。表示部１２は、ＬＣＤなどによる表示手段である。キー入力部１３は、各種キー操作用の入力手段である。
【００２７】
図２は、本発明の実施例に係る携帯端末の情報記憶部１１を説明する図である。情報記憶部１１は、主制御部アクセス履歴１１ａと、価値情報記憶部１１ｂを有する。
【００２８】
主制御部アクセス履歴１１ａは、主制御部８が非接触ＩＣチップ５に対して有線通信でアクセスした履歴を記録するメモリである。この価値情報種別欄は、主制御部８が非接触ＩＣチップ５に対して指示した電子マネー、電子チケット、ポイントサービス等の価値情報の種別を記録する。要求コマンド欄は、各サービスの価値情報の現在内容に対して、主制御部８が非接触ＩＣチップ５に対して指示した更新か参照であるかを記録する。
【００２９】
例えば、アクセスの履歴順１では、電子マネーでその残高の更新を指示し、履歴順２では、電子チケットでその契約チケット情報の参照を指示し、履歴順３では、ポイントサービスでそのポイントの更新を指示し、履歴順４では、電子マネーでその残高の参照を指示した履歴が記録される。
【００３０】
したがって、履歴が更新の場合は、非接触ＩＣチップ５内のメモリ５３に記録される価値情報の現在内容が更新されたことを意味し、参照の場合は、非接触ＩＣチップ５内のメモリ５３に記録される価値情報の現在内容はそのままで、その内容が非接触ＩＣチップ５から主制御部８へ参照のため送信されたことを意味する。
【００３１】
主制御部アクセス履歴１１ａに履歴が記録されていない場合は、主制御部８が非接触ＩＣチップ５に対してアクセスしなかったことを意味し、主制御部８による有線通信での非接触ＩＣチップ５の価値情報の現在内容の変化はない。
【００３２】
価値情報記憶部１１ｂは、主制御部８が非接触ＩＣチップ５に指示して、非接触ＩＣチップ５内の各価値情報の現在内容を入手し、それを記録するメモリである。電子マネーでは残高、電子チケットでは契約チケット情報、ポイントサービスではポイント数などの現在内容を記憶する。
【００３３】
次に、主制御部８の動作について説明する。  
図３は、本発明の実施例に係る携帯端末の主制御部の動作フローチャートであり、主制御部自身による「非接触ＩＣチップに対する有線アクセス処理」に関する。ユーザは、キー入力部１３を操作して、非接触ＩＣチップ５に関する電子マネー、電子チケット、ポイントサービス等の価値情報の種別、およびそれらの価値情報の現在内容の更新か参照かを要求する。これにより、主制御部８の「非接触ＩＣチップに対するアクセス処理」が起動される。もちろん、暗証番号の入力や、現在内容を更新する場合の契約が必要だが、本発明には直接関係しないので説明を省略する。
【００３４】
主制御部８は、「非接触ＩＣチップに対する有線アクセス処理」に入ると、ユーザから要求された価値情報の種類及びその価値情報の現在内容の更新か参照かを確認する(ステップＳ１)。
【００３５】
主制御部８は、次に、非接触ＩＣチップ５へ有線アクセスするために、アクセス制御信号５ｄをオンにして、非接触ＩＣチップ５をアクティブにする（ステップＳ２）。
【００３６】
そして、非接触ＩＣチップ５に対してＵＡＲＴ５ｅにより、ステップＳ１の確認事項を指示する（ステップＳ３）。
【００３７】
ステップＳ３の処理を受けて、非接触ＩＣチップ５は、図示しないが、更新の指示を受信した場合は、指示された価値情報の現在内容の更新を実行する。また、参照の指示を受信した場合は、指示された価値情報の現在内容を参照して主制御部８へ送信する。
【００３８】
主制御部８は、次に、非接触ＩＣチップ５へのアクセスを終了するために、アクセス制御信号５ｄをオフにして、非接触ＩＣチップ５をスリープにする（ステップＳ４）。
【００３９】
主制御部８は、次に、主制御部アクセス履歴１１ａに対して、ステップＳ１の内容を履歴として記録する。すなわち、今回のアクセス処理で実行した価値情報の種別と、その更新か参照かを記録する（ステップＳ５）。そして、「非接触ＩＣチップに対する有線アクセス処理」を終了する。このステップＳ５は、後述（図４）の「価値情報表示処理」への通知である。
【００４０】
図４は、本発明の実施例に係る携帯端末１００の主制御部の動作フローチャートであり、「価値情報表示処理」に関する。ユーザのキー操作による価値情報表示要求や、タイマーによる定期的な価値情報表示要求があると、主制御部８の「価値情報表示処理」が起動される。
【００４１】
主制御部８は、まず、ラッチ７出力をチェックし、搬送波検出信号の受信の有無をチェックする（ステップＳ１１）。
【００４２】
［搬送波検出信号の受信あり、すなわち、リーダ／ライタからの非接触データ通信ありの場合］
ラッチ７出力がオン、すなわち、「搬送波検出信号の受信あり」であれば、ラッチ７をリセットする（ステップＳ１２）。
【００４３】
「搬送波検出信号の受信あり」は、主制御部８が関与しないで、非接触ＩＣチップ５が外部のリーダ／ライタ２００との間で非接触データ通信を介して非接触ＩＣチップ５内の価値情報の現在内容が更新された可能性があることを意味する。したがって、主制御部８は、非接触ＩＣチップ５内の価値情報を取得するためのアクセス準備として、アクセス制御信号５ｄをオンにする（ステップＳ１３）。
【００４４】
そして、非接触ＩＣチップ５に対してＵＡＲＴ５ｅにより、全価値情報の参照を指示する（ステップＳ１４）。このＵＡＲＴは、スタートビットやストップビットを必要とし、シリアル通信でもあるため、主制御部８のワークメモリのアドレス空間をアクセスするようには高速で読み書きすることはできない。また、非接触ＩＣチップ５は、全価値情報の参照を実行して、それらの価値情報の現在内容を主制御部８に送信するのに時間がかかる。
【００４５】
主制御部８は、受信した全ての価値情報の現在内容を、価値情報記憶部１１ｂに価値情報の種別毎に現在内容として記録する（ステップＳ１５）。そして、非接触ＩＣチップ５へのアクセスを終了するために、アクセス制御信号５ｄをオフにする（ステップＳ１６）。
【００４６】
ステップＳ１３からＳ１６の間、非接触ＩＣチップ５全体がウェイクアップ状態になり消費電力が増える。またその間の有線通信の時間は長くかかる。
【００４７】
次に、主制御部８は、価値情報記憶部１１ｂから価値情報の現在内容を読み出し（ステップＳ３０）、表示部１２に表示し（ステップＳ３１）、「価値情報表示処理」を終了する。
【００４８】
［搬送波検出信号の受信なし、すなわち、リーダ／ライタからの非接触データ通信なしの場合］
ステップＳ１１でラッチ７出力がオフ、すなわち、「搬送波検出信号の受信なし」の場合、次に、主制御部８自身による「非接触ＩＣチップに対するアクセス処理」（図３）があったかを、主制御部アクセス履歴１１ａをチェックすることにより行う（ステップＳ２０）。
【００４９】
主制御部アクセス履歴１１ａに履歴が残っている場合（ステップＳ２０でＹＥＳ）、主制御部８は、次に、主制御部アクセス履歴１１ａ全ての要求コマンドをチェックする（ステップＳ２１）。更新が１つでもあれば非接触ＩＣチップ５内の価値情報の現在内容の更新が行われたことを意味するので、非接触ＩＣチップ５内の価値情報を取得するためのアクセス準備として、アクセス制御信号５ｄをオンにする（ステップＳ２２）。
【００５０】
そして、非接触ＩＣチップ５に対してＵＡＲＴ５ｅにより、アクセス履歴が更新の価値情報の参照を指示する（ステップＳ２３）。図２の例では、電子マネーとポイントサービスが更新されており、したがって、主制御部８は、非接触ＩＣチップ５に対して、電子マネーとポイントサービス対応のそれぞれの価値情報の参照を指示し、それぞれの価値情報の現在内容を受信して、価値情報記憶部１１ｂに記録する（ステップＳ２４）。
【００５１】
この処理時間は、ステップＳ１４での全価値情報の参照時間に比べて短くて済み、その分、消費電力も少なくてすむ。
【００５２】
そして、非接触ＩＣチップ５へのアクセスを終了するために、アクセス制御信号５ｄをオフにする（ステップＳ２５）。そして、主制御部アクセス履歴１１ａの全ての履歴を消去する（ステップＳ２６）。これは、主制御部アクセス履歴１１ａが表示目的のための履歴であり、用が済んだので、消去するものである。
【００５３】
次に、主制御部８は、価値情報記憶部１１ｂから価値情報の現在内容を読み出し（ステップＳ３０）、表示部１２に表示し（ステップＳ３１）、「価値情報表示処理」を終了する。
【００５４】
［搬送波受信なしで、かつ、主制御部８自身による価値情報の参照のみの場合］
ステップＳ２１で参照のみであった場合は、非接触ＩＣチップ５の価値情報の現在内容は更新されなかったことを意味し、非接触ＩＣチップ５から情報を直接取得する必要はない。そして、主制御部アクセス履歴１１ａの全ての履歴を消去する（ステップＳ２６）。これは、主制御部アクセス履歴１１ａが表示目的のための履歴であり、用が済んだので、消去するものである。
【００５５】
そして、すでにステップＳ１５やステップＳ２４で価値情報記憶部１１ｂに保存されている価値情報の現在内容を読出し（ステップＳ３０）、この情報を表示部１２に表示し（ステップＳ３１）、「価値情報表示処理」を終了する。
【００５６】
ステップＳ３０での価値情報記憶部１１ｂの読出しは、主制御部８のアドレス空間にあるメモリのアクセス時間で済むので、表示要求があってから短時間で価値情報を表示することができる。また、非接触ＩＣチップ５から価値情報を取得する必要がなく、非接触ＩＣチップ５をウェイクアップ状態にする必要がないので、消費電力も少なくてすむ。
【００５７】
［搬送波受信なしで、かつ、主制御部８自身によるアクセス履歴もない場合］
ステップＳ２０でＮＯの場合は、非接触ＩＣチップ５の価値情報は更新されなかったことを意味し、非接触ＩＣチップ５から情報を直接取得する必要はない。したがって、すでにステップＳ１５やステップＳ２４で価値情報記憶部１１ｂに保存されている価値情報の現在内容を読出し（ステップＳ３０）、この情報を表示部１２に表示し（ステップＳ３１）、「価値情報表示処理」を終了する。
【００５８】
一般に、非接触ＩＣチップ内の価値情報の表示は、非接触データ通信や有線通信による非接触ＩＣチップ内の価値情報の更新に比べて、頻度が多い。したがって、表示処理を行う場合に、ステップＳ１４やＳ２３の処理を行うことよりも、これらの処理を行わずにステップＳ３０の処理のみの頻度が多いといえる。したがって、ステップＳ３０の処理時間が短時間で済むことの効果は大きい。
【００５９】
以上説明したように、本発明の実施例によれば、非接触ＩＣチップが搬送波を検出しなかった場合などに、非接触ＩＣチップ内の価値情報の取得を行わずに済むので、アクセスに時間をかけないで使用者を待たせることなく、また余分な電力を消費することがなくなる。
【００６０】
なお、非接触データ通信による非接触ＩＣチップ内の価値情報の更新と、主制御部自身による非接触ＩＣチップ内の価値情報の更新の両方に対応した表示制御を行ったが、どちらか一方に対応した表示制御であってもよい。
【００６１】
また、搬送波検出信号５ｃをラッチ７で保持して主制御部８がチェックするようにしたが、ラッチ７を削除して搬送波検出信号５ｃを直接、主制御部８がチェックするようにしてもよい。その場合、主制御部８は、能動状態になる以前の搬送波検出信号５ｃを検出できないので、能動状態になって最初の表示を行う場合には必ず、非接触ＩＣチップ内の価値情報を取得するようにすればよい。
【図面の簡単な説明】
【００６２】
【図１】本発明の実施例に係る携帯端末のブロック図。
【図２】本発明の実施例に係る携帯端末の情報記憶部１１を説明する図。
【図３】本発明の実施例に係る携帯端末の主制御部の動作フローチャート（非接触ＩＣチップに対する有線アクセス処理）。
【図４】本発明の実施例に係る携帯端末の主制御部の動作フローチャート（価値情報表示処理）。
【符号の説明】
【００６３】
１  電池
２  セット電源スイッチ
３  セット電源部
４  常時電源部
５  非接触ＩＣチップ
６  アンテナ
７  ラッチ
８  主制御部
９  通信部
１０  アンテナ
１１  情報記憶部
１１ａ  主制御部アクセス履歴
１１ｂ  価値情報記憶部
１２  表示部
１３  キー入力部
５１  アナログ部
５２  チップ制御部
５３  メモリ
１００  携帯端末
２００  リーダ／ライタ
【図１】
2009087077.tif 000003
【図２】
2009087077.tif 000004
【図３】
2009087077.tif 000005
【図４】
2009087077.tif 000006